(57)【要約】      （修正有）【課題】振り回し作業終了において軸を静止した場合においても、慣性及び回転水流を利用して、軸を中心に抽出対象物を回転させ続けることを可能とすることで、抽出対象物の成分の抽出を強く、永く持続させることができるテンビン棒を提供する。【解決手段】軸１を中心に回転する回転部品２を軸に設けて、回転部品に抽出対象物を取り付けることが出来る取り付け部分３をテンビン状に備えさせて、取り付け部分に抽出対象物を取り付けて、回転部品を回転させることで、取り付け部分に取り付けた抽出対象物からの成分の抽出を加速させることを特徴とする。【選択図】図１
2014151141.tif 000002
【特許請求の範囲】
【請求項１】
軸を中心に回転する回転部品を軸に設けて、前記回転部品に抽出対象物を取り付けることが出来る取り付け部分をテンビン状に備えさせて、前記取り付け部分に前記抽出対象物を取り付けて、前記回転部品を回転させることで、前記取り付け部分に取り付けた抽出対象物からの成分の抽出を加速させることを特徴とするテンビン抽出棒。
【発明の詳細な説明】
【技術分野】
【０００１】
この発明は、軸を中心に回転する機能を持ち、且つ、テンビン状の取り付け部分を持った回転部品を回転させることで、前記取り付け部分に取り付けた抽出対象物からの成分の抽出を加速させることを特徴とするテンビン抽出棒に関するものである。
【背景技術】
【０００２】
従来、軸を中心に回転する機能を持ち、且つ、テンビン状の取り付け部分を持った回転部品を回転させることで、前記取り付け部分に取り付けた抽出対象物からの成分の抽出を加速させることを特徴とするテンビン抽出棒はなかった。
【０００３】
特許公開２００３−０６３５６２号に撹拌棒が記載されているが、この発明は、既成のティーパック類を水中に入れた場合、ティーパックは浮力によって水面に浮遊する為に、ティーパックの抽出に時間がかかるというティーパックの浮遊問題の解決及び、棒を持つ事で、素早く掻き混ぜることを目的に開発されたものである。しかし、これは、軸の先端に備えたティーパックを、軸の上部を振り回して掻き混ぜる機能しか備えていないので、
軸の振り回し作業終了時には、ティーパックは静止してしまうので、その時点で抽出作業は完了してしまう。
【０００４】
特表２００８−５１９６３０号に煎出装置が記載されているが、この発明では軸の先端に籠を設け，この籠の外部の格子部分が開閉することにより、抽出袋を籠内に設置させて、この抽出袋を圧縮(絞る)ことと、ポンピングによる、水の循環で抽出速度を加速させるものであり、抽出袋を、軸を中心に回転させる機能は備えていなので、ポンピング動作終了時においては、抽出作業は完了してしまう。
【先行技術文献】
【特許文献】
【０００５】
【特許文献１】特許公開２００３−０６３５６２号
【特許文献２】特表２００８−５１９６３０号
【発明の概要】
【発明が解決しようとする課題】
【０００６】
０００３項記載の先行技術は、軸の振り回し作業（掻き混ぜ）終了時にはティーパックが静止するので成分を抽出する作業が終了してしまう。又、０００４項記載の先行技術は、ポンピング作業終了時にはティーパックが静止するので成分を抽出する作業が完了してしまう。
【０００７】
本願発明は、軸を振り回す(掻き混ぜる)振り回し作業により、軸が備える抽出対象物の回転による成分抽出のみならず、振り回し作業終了において軸を静止した場合においても、慣性及び回転水流を利用して、軸を中心に抽出対象物を回転させ続けることを可能とすることで、抽出対象物の成分の抽出を強く、永く持続させることを課題とするものである。
【課題を解決するための手段】
【０００８】
本発明は、上記課題を解決する為に、以下の手段を備えたものである。  
【０００９】
軸を中心に回転する回転部品を軸に設けて、前記回転部品に抽出対象物を取り付けることが出来る取り付け部分をテンビン状に備えさせて、前記取り付け部分に前記抽出対象物を取り付けて、前記回転部品を回転させることで、前記取り付け部分に取り付けた抽出対象物からの成分の抽出を加速させることを特徴とするテンビン抽出棒を作成する。
【発明の効果】
【００１０】
軸を中心に回転する回転部品を軸に設けて、前記回転部品に抽出対象物を取り付けることが出来る取り付け部分をテンビン状に備えさせて、前記取り付け部分に前記抽出対象物を取り付けて、前記回転部品を回転させることで、前記取り付け部分に取り付けた抽出対象物からの成分の抽出を加速させることを特徴とするテンビン抽出棒を作成する。この効果を以下に述べる。  
【００１１】
まず、本願発明テンビン抽出棒の軸が備える回転部品のテンビン状の取り付け部分に、抽出対象物を取りつけて浸漬させて、軸を持って振り回す(掻き混ぜる)と、前記取り付け部分に取り付けられた抽出対象物は軸の動作により振り回される。
【００１２】
この際、軸を中心に回転する機能を持つテンビン状の回転部品の効果で、遠心力により前記取り付け部分に取り付けられた抽出対象物は振り回されるのみならず、軸を中心に回転することが出来る。
【００１３】
そして、振り回しを止めた場合、慣性により、取り付け部分に固定された抽出対象物は、軸を中心に回転することが出来る。
【００１４】
さらに、容器内に浸漬させて、振り回した場合は、容器内には回転水流が発生する。この容器内に発生する回転水流によって、取り付け部分に固定された抽出対象物は、００１２項及び００１３項で前述した遠心力及び慣性による回転に加えて、回転水流によって軸を中心に回転することが出来る。
【００１５】
尚、前記取り付け部分をテンビン状にすることで、前記取り付け部分に取り付けられた抽出対象物は、軸を中心として、真横から回転水流を受けることにより、回転部品の回転は強く、且つ永く持続することが出来る。
又、軸を停止した場合の慣性の影響も軸を中心に真横から影響を受けるので、回転部品の回転は強く、且つ永く持続することが出来る。
【００１６】
この様に、軸を中心に回転する機能を持ち、且つ、テンビン状の取り付け部分を持った回転部品を、前記軸を中心に回転をさせることで、前記回転部品に備えられた前記テンビン状の取り付け部分は前記軸１を中心に真横に回転することが出来る。この効果により、前記抽出対象物は、遠心力、慣性、回転水流の効果を、前記軸を中心に真横から受けることが出来るので、前記抽出対象物の前記軸を中心とする回転は、振り回し作業終了時にも強く、永く持続することにより、前記抽出対象物の抽出を加速させることが出来る。
【図面の簡単な説明】
【００１７】
【図１】軸１が備えた回転部品２のテンビン状の取り付け部分３ａ、３ａ´に、ティーパック５、５´を取り付けた本願発明テンビン抽出棒の正面図。
【図２】図１で示す本願発明テンビン抽出棒を、水を満たした容器９に浸漬させて使用した場合の正面図。
【図３】軸１が備えた回転部品２の片テンビン状の取り付け部分３ａに、ティーパック５を取り付けた本願発明テンビン抽出棒の正面図。
【図４】図３で示す本願発明テンビン抽出棒を、水を満たした容器９に浸漬させて使用した場合の正面図。
【図５】軸１が備えた回転部品２のテンビン状の取り付け部分３ｂ、３ｂ´に、カートリッジ８，８´を取り付けた本願発明テンビン抽出棒の正面図。
【図６】図５で示す本願発明テンビン抽出棒を、水を満たした容器９に浸漬させて使用した場合の正面図。
【図７】軸１の２箇所に回転部品２、２´を備えた本願発明テンビン棒を、容器蓋１０に設けて、容器９に浸漬させて、密封した状態で使用した場合の正面図。
【発明を実施するための形態】
【実施例１】
【００１８】
実施例１で用いる本願発明テンビン抽出棒とは、図１で示すように、球状の回転部品２を作成して、前記回転部品２に縦穴（ア）をあけ、縦穴（ア）に貫通した、縦穴（ア）の口径より細い直径を持つ軸１の末端付近に、前記回転部品２を一対の固定部品４ａ、４ｂで上下に抜け止め固定する。この回転部品２の側面に先端がフック状の取り付け部分３ａ及び３ａ´を突出させて設ける。この様に、回転部品２に縦にくりぬかれた穴（ア）を軸１が貫通されることで回転部品２が備える取り付け部分３ａ、３ａ´は軸１を中心に真横に回転することが出来る。尚、回転部品２の両横及び軸１の末端にはネジを付けた部品と適合するねじ穴が備えられている。
【００１９】
使用方法としては、前記取り付け部分３ａ、３ａ´に、抽出対象物のティーパック５、５´を取り付けて、水を入れた容器９内に軸１を使ってに浸漬させて、前記軸１を手でつまんで、矢印Ａの方向に円を描いて振り回す。この使用方法における動作について図２を用いて説明する。
【００２０】
前記軸1の上部を矢印Ａの方向に振り回すと、前記軸1の末端付近に備え付けられた回転部品２の取り付け部分３ａ及び３ａ´に取り付けられたティーパック５、５´は水中において矢印Ａの方向に振り回される。
【００２１】
振り回し動作によって、前記軸１には遠心力が生じる。この遠心力により前記軸に備えられた前記回転部品２は、軸を中心とした自転回転を行う。又、振り回し動作を停止した場合には慣性が生じる。この慣性により軸に備えられた前記回転部品２は振り回し動作を停止後も自転回転を行う。
【００２２】
００２１項で述べたように、振り回し動作を続けた場合は遠心力により、又、振り回し動作を停止した場合は慣性により回転部品２は矢印Ｂ方向に自転回転を行う。
【００２３】
又、振り回し動作を続けることにより、容器９内には回転水流Ｃが生じる。そして振り回し動作を停止した場合においても、容器９内には回転水流Ｃは持続する。この回転水流Ｃにより回転部品は振り回し動作を停止した後も自転回転を行う。
【００２４】
前述した、遠心力、慣性、回転水流Ｃによる回転部品２の自転回転により、前記回転部品２の取り付け部分３ａ、３ａ´に取り付けられたティーパック５，５´は、振り回し動作を停止した場合でも軸１を中心の回転を持続することが出来る。
【００２５】
この様に、前記回転部品２を軸１に備えるがゆえに、遠心力、慣性、回転水流Ｃによる前記回転部品２は自転回転による前記軸１を中心とした回転を行うことが出来る。
【００２６】
これにより、前記取り付け部分３ａ、３ａ´にテンビン状に取り付けられたティーパック５，５´は前記軸１を中心に真横に回転することが可能となり、振り回し動作を停止した場合、００２５項で述べた慣性の力も真横に伝わるので、前記回転部品２に与える影響は強くなり、前記回転部品２は強く回転するのでティーパック５、５´回転が促される。
【００２７】
又、前記回転部品２にティーパック５、５´をテンビン状に取り付けることにより、前記回転部品２の自転回転は、振り回し動作を停止後も、００２５項で述べた回転水流Ｃの影響を真横から受けることが出来るので、前記取り付け部分３にテンビン状に取り付けられたティーパック５，５´は回転し続けることが出来るので、成分の抽出は加速し続ける。
【実施例２】
【００２８】
実施例２で用いる本願発明テンビン抽出棒とは、図３で示すように、球状の回転部品２を作成して、前記回転部品２に縦穴（ア）をあけ、縦穴（ア）に貫通した、縦穴（ア）の口径より細い直径を持つ軸１ａの末端付近に、前記回転部品２を一対の固定部品４ａ、４ｂで上下に抜け止め固定する。この回転部品２の側面に先端がフック状の取り付け部分３ａを突出させて設ける。又、前記取り付け部分の反対側には、浮力を備えた羽根状の浮遊手段６を設けている。
【００２９】
実施例２で示すように本願発明におけるテンビンとは、両テンビンのみならず片テンビンも含んでいる。片テンビンにした場合においても、回転部品２に縦にくりぬかれた穴（ア）を軸１が貫通されることで回転部品２が備える取り付け部分３ａは軸１を中心に回転することが出来る。
【００３０】
この場合も、実施例１同様に前記取り付け部分３ａに取り付けられたティーパック５は回転水流の影響を真横から受けることが出来る。
【００３１】
この様に、前記回転部品２を軸１に備えるがゆえに、片テンビンの場合においても、遠心力、慣性、回転水流Ｃによる前記回転部品２は自転回転による前記軸１を中心とした回転を行うことが出来る。これにより、実施例１同様に、実施例２においても、００２５項、００２６項、００２７項で述べた効果により、前記軸１の振り回し動作を停止した後も、前記回転部品２は矢印Ｂ方向に回転し続ける。
【００３２】
使用方法としては、図４で示すように、前記取り付け部分３ａに抽出対象物のティーパック５を取り付けて、水を入れた容器９内に軸１を使って浸漬させて、軸１の先端部分を手でつまんで、矢印Ａの方向に振り回す。この使用方法における動作については実施例１同様の動きを見せる。
【実施例３】
【００３３】
実施例３については、図５でしめす成分抽出物を内蔵させることが出来るカートリッジ８ａ、８ｂを抽出対象物として、取り付け部分３ｂ、３ｂ´に取り付けた図である。尚、このカートリッジ８ａ、８ｂは発明者が新たに創造して製造したもので既製品ではない。
【００３４】
使用方法としては、前記カートリッジ８ａ、８ｂの中に成分抽出対象物を入れて、水を入れた容器９内に軸１を使って浸漬させて、軸１の先端部分を手でつまんで、矢印Ａの方向に円を描いて振り回す。この使用方法における動作について図６を用いて説明する。  
【００３５】
カートリッジ８ａ、８ｂには浮力があり、羽根状の浮遊手段の６ａ、６ｂを備えている。この浮力と羽根状の浮遊手段６ａ、６ｂにより、軸１を振り回す際の水中での抵抗が強くなり、回転水流Ｃの発生が促進される。
【００３６】
又、この浮力と羽根状の浮遊手段６ａ、６ｂにより、軸１の振り回しを停止した場合の回転水流Ｃの影響を強く受けるので、回転部品２の自転回転Ｂは促進され持続される。
【００３７】
これにより、回転部品２の取り付け部分３ｂ、３ｂ´に備えられたカートリッジ８ａ、８ｂは軸１の振り回しを停止した後も、慣性及び回転水流Ｃで引き起こされる回転部品２の自転回転Ｂにより、容器内９で回転を続けるので成分の抽出を加速させることが出来る。
【００３８】
尚、実施例３については、軸１の末端にヘラ状の浮遊物６Ｃを備えさせている。ヘラ状の浮遊物６を軸１に備えさせることで、水中を掻き混ぜる効果を高めて回転水流を増幅させることが出来る。
【実施例４】
【００３９】
本願発明テンビン抽出棒は、実施例１，２，３，では手でつまんで振り回す使用例を述べたが、手でつまんで振り回す以外にも図７で示すように軸１の先端を容器蓋１０に固定して使用することが出来る。実施例４では軸１の２箇所に回転部品２、２´備えたものを用いる。
【００４０】
実施例４で用いる本願発明テンビン抽出棒は、図７で示すように、軸１の２箇所に回転部品２，２´を備えている。軸１に対する回転部品２、２´の取り付け方法は図１で示す実施例１と同じである。尚、実施例４における本発明の成分抽出加速器は、説明用に拡大して描いている。
【００４１】
図７で示すように、軸１の２箇所に備えられた回転部品２，２´の側面にテンビン状に突出させた一対の取り付け部分３ｂ、３ｂ´、３ｂ´´、３ｂ´´´にはネジ部分を設けて、このネジ部分に適合するネジ穴（ウ）、（ウ´）、（ウ´´）、（ウ´´´）を持ったティーパック５、５´、５´´、５´´´をテンビン状取り付ける。  
【００４２】
このネジ穴（ウ）を持ったティーパック５は発明者が新たに創造して製造したもので既製品ではない。ネジ穴（ウ）を持ったティーパック５に変えて、取り付け部分３ｂの先端に突起物を設けて、この突起物に圧入する穴（エ）、を備えた特製のティーパック５を圧入固定する方法でも良いことは言うまでもない。尚、実施例４においては軸１の末端には円錐状の錘７を取り付けている。
【００４３】
使用方法としては、本願発明テンビン棒を容器蓋１０に設けて、容器９内に軸１を使って浸漬させて、容器蓋１０を閉めて、密封した状態で、容器９の上部を手で掴んでＡの方向に円を描いて揺り動かす。この使用方法における動作について図７を用いて説明する。
【００４４】
図７で示すように、容器９の上部を手で掴んで矢印Ａの方向に手動で揺り動かすと、軸１は、容器蓋１０に取り付けられた部分を支点として矢印Ａの方向に円を描いて振り回される。この場合、軸１に可撓性を備えさせた場合は、軸１のしなりが大きくなることで、軸１の回転Ａの幅が大きくなる。
【００４５】
又、軸１の末端に前記錘７を取り付けることで、末端に重心が備えられ軸１のしなりが大きくなり、更に、錘７をヘラ状にした場合は、実施例３同様に水中を掻き混ぜる効果をもたらし回転水流Ｃの発生を促す。
【００４６】
この動作により、容器蓋に設けられた軸１は、容器９を閉じた状態においても軸が矢印Ａ方向に振り回されることにより、軸１が備える回転部品２、２´は軸を中心に矢印Ｂ方向に自転回転を行う。
【００４７】
これにより、回転部品２，２´の取り付け部分３ｂ、３ｂ´、３ｂ´´、３ｂ´´´に取り付けられたティーパック５、５´、５´´、５´´´は、実施例１，２，３同様の動きをするので、成分の抽出は加速される。
【００４８】
以上において、実施例１、２、３、４で本願発明テンビン抽出棒の形態及び使用方法及び動作について記載した。以下においては、各実施例における、各部品及び動作について補足する。
(補足)
【００４９】
実施例において、軸１の末端及び回転部品２にネジ穴（イ）を備えさせている。前述した取り付け部分３、ティーパック５、浮遊手段６、錘７、カートリッジ８に、ネジ穴（イ）に結合するネジ部分を備えさせることで、
脱着が可能となり、抽出対象物にあわせて各種パーツの取り付を選択することにより回転部品２の自転回転をベストな状態に出来る。この結合方法はネジ式ではなく圧入固定をする方法でも良いことは言うまでもない。-
【００５０】
本願発明の回転部品２が備えるテンビン状の取り付け部分３とは、実施例１で示す両テンビン、実施例２で示す片テンビンに加え、複数のテンビン状のも含まれる。
【００５１】
実施例においては、粉状の抽出対象物を内蔵させたティーパック５やカートリッジ８について述べたが、抽出対象物には、固形のものも含まれる。
【００５２】
実施例２では片テンビンの取り付け部分の反対側に浮遊手段６を備えているが、この効果により回転水流Ｃの影響を強く受け、且つ、永く持続させる効果がある。又、羽根状の浮遊手段６は複数でもよく、抽出対象物の形状によっては無くても構わない
【００５３】
実施例２における浮遊手段６は、回転部品２のネジ穴に適合するねじを備えさせる手段や、回転部品に縦に溝を作りスライド式にする手段で、取り外しを可能にすることで、抽出対象物にあわせたバランスが取れる浮遊手段６を選択することが出来る。
【００５４】
実施例３においては、カートリッジ８を取り付け部分３ｂにのみ単数取り付ける場合は、回転部品２の反対側の取り付け部分３ｂ´には、カートリッジ８´の代わりにカートリッジ８と同じ形態の浮力を備えた浮遊手段６を備えさせることで、テンビンのバランスを取ることが出来る。
【００５５】
実施例３、４で示すように、ヘラ状の浮遊手段６や錘７を軸１に備えさせることで、水中を掻き混ぜる効果を高めて回転水流を増幅させることが出来る。実施例では軸１の末端にこれらを備えているが、前記軸１の末端のみならず、上部にこのような水中抵抗物を備えることで、掻き混ぜ効果による回転水流Ｃは増幅する。
【００５６】
実施例４で示す、軸１の先端を容器蓋１０に設けて、容器９に浸漬させた場合の使用方法においては、容器９に水を満水にせず幾分少なめにして、容器９を矢印Ａ方向に振り回した場合は、遠心力による水流の勢いが増し、軸１に備えられた回転部品２は激しく自転回転Ｂをするので、成分の抽出の加速速度が高まる。
【００５７】
実施例４において、容器蓋１０に、本発明の成分抽出加速器の軸１の先端を固定する手段としては、圧入や挿入やフレンジを用いる手段や、吸盤等での吸着手段や、容器に接着して固定する接着手段等がある。
【００５８】
又、本願発明の軸１の先端を、既成のペットボトルキャップに備えさせたペットボトルキャップ作成すれば、既成のペットボトルにそのままの取り付けるだけで、実施例４における使用をする事が出来る。
【符号の説明】
【００５９】
１    軸  
２    回転部品
３    取り付け部分
４    固定部品
５    ティーパック
６    浮遊手段
７    錘
８    カートリッジ
９    容器
１０  容器蓋
Ａ    軸１を振り回す方向を示す矢印
Ｂ    自転回転の方向を示す矢印
Ｃ    回転水流の方向を示す矢印
ア    回転部品２を貫通している穴
イ    ネジ部分に適合するねじ穴
ウ    ネジ部分に適合するティーパック５のネジ穴
【図１】
2014151141.tif 000003
【図２】
2014151141.tif 000004
【図３】
2014151141.tif 000005
【図４】
2014151141.tif 000006
【図５】
2014151141.tif 000007
【図６】
2014151141.tif 000008
【図７】
2014151141.tif 000009
【手続補正書】
【提出日】平成25年6月4日(2013.6.4)
【手続補正１】
【補正対象書類名】特許請求の範囲
【補正対象項目名】全文
【補正方法】変更
【補正の内容】
【特許請求の範囲】
【請求項１】
棒状の軸と、軸と独立して回転するように軸に設けられた回転部品と、前記回転部品の側面に備え付けられた抽出対象物を取り付ける事が出来る取り付け部分とからなり、前記回転部品を液体内に前記軸を使って浸漬させ、前記軸が可動することで前記取り付け部分に取り付けた抽出対象物の成分を抽出する作業を行い、その作業が終了した後も、前記回転部品が前記軸を中心に引き続き回転して、さらなる抽出が行われることを特徴とする、抽出棒。
【手続補正２】
【補正対象書類名】明細書
【補正対象項目名】全文
【補正方法】変更
【補正の内容】
【発明の詳細な説明】
【技術分野】
【０００１】
この発明は、軸を中心に回転する機能を持ち、且つ、その側面に取り付け部分を持った
回転部品の回転を持続させることで、前記取り付け部分に取り付けた抽出対象物からの成分の抽出を加速させることを特徴とする抽出棒に関するものである。
【背景技術】
【０００２】
従来、軸を中心に回転する機能を持ち、且つ、側面に取り付け部分を持った回転部品を前記軸の可動で回転させることで、前記取り付け部分に取り付けた抽出対象物からの成分の抽出を加速させ、且つ、軸の可動を終了した後も、前記回転部品が前記軸を中心に引き続きも回転して、さらなる抽出が行われることを特徴とする、抽出棒はなかった。 
【０００３】
特許公開２００３−０６３５６２号に撹拌棒が記載されているが、この発明は、既成のテ
ィーパック類を水中に入れた場合、ティーパックは浮力によって水面に浮遊する為に、テ
ィーパックの抽出に時間がかかるというティーパックの浮遊問題の解決及び、棒を持つ事
で、素早く掻き混ぜることを目的に開発されたものである。しかし、これは、軸の先端に
備えたティーパックを、軸の上部を振り回して掻き混ぜる機能しか備えていないので、
軸の振り回し作業終了時には、ティーパックは静止してしまうので、その時点で抽出作業は完了してしまう。
【０００４】
特表２００８−５１９６３０号に煎出装置が記載されているが、この発明では軸の先端に
籠を設け，この籠の外部の格子部分が開閉することにより、抽出袋を籠内に設置させて、
この抽出袋を圧縮(絞る)ことと、ポンピングによる、水の循環で抽出速度を加速させるも
のであり、抽出袋を、軸を中心に回転させる機能は備えていなので、ポンピング動作終了
時においては、抽出作業は完了してしまう。
【先行技術文献】
【特許文献】
【０００５】
【特許文献１】特許公開２００３−０６３５６２号
【特許文献２】特表２００８−５１９６３０号
【発明の概要】
【発明が解決しようとする課題】
【０００６】
０００３項記載の先行技術は、軸の振り回し作業（掻き混ぜ）終了時にはティーパックが
静止するので成分を抽出する作業が終了してしまう。又、０００４項記載の先行技術は、
ポンピング作業終了時にはティーパックが静止するので成分を抽出する作業が完了してしまう。
【０００７】
本願発明は、軸を振り回す振り回し作業(軸の可動)により、軸が備える抽出対象物の回
転による成分抽出のみならず、振り回し作業(軸の可動)終了において軸を静止した場合においても、慣性及び回転水流を利用して、軸を中心に抽出対象物を回転させ続けることを可能とすることで、抽出対象物の成分の抽出を強く、永く持続させることを課題とするものである。
【課題を解決するための手段】
【０００８】
本発明は、上記課題を解決する為に、以下の手段を備えたものである。  
【０００９】
棒状の軸と、軸と独立して回転するように軸に設けられた回転部品と、前記回転部品の側面に備え付けられた抽出対象物を取り付ける事が出来る取り付け部分とからなり、前記回転部品を液体内に前記軸を使って浸漬させ、前記軸が可動することで前記取り付け部分に取り付けた抽出対象物の成分を抽出する作業を行い、その作業が終了した後も、前記回転部品が前記軸を中心に引き続き回転して、さらなる抽出が行われることを特徴とする、抽出棒。
【発明の効果】
【００１０】
棒状の軸と、軸と独立して回転するように軸に設けられた回転部品と、前記回転部品の側面に備え付けられた抽出対象物を取り付ける事が出来る取り付け部分とからなり、前記回転部品を液体内に前記軸を使って浸漬させ、前記軸が可動することで前記取り付け部分に取り付けた抽出対象物の成分を抽出する作業を行い、その作業が終了した後も、前記回転部品が前記軸を中心に引き続き回転して、さらなる抽出が行われることを特徴とする、抽出棒を作成する。この効果を以下に述べる。  
【００１１】
まず、本願発明抽出棒の軸が備える回転部品の側面の取り付け部分に、抽出対象物を取りつけて浸漬させて、軸を持って振り回す(軸の可動)と、前記取り付け部分に取り付けられた抽出対象物は軸の動作により振り回される。
【００１２】
この際、軸を中心に回転する機能を持つ棒状の軸と独立して回転するように軸に設けられた回転部品の効果で、遠心力により前記取り付け部分に取り付けられた抽出対象物は振り回されるのみならず、軸を中心に回転することが出来る。
【００１３】
そして、振り回しを止めた場合、慣性により、取り付け部分に固定された抽出対象物は、
軸を中心に回転することが出来る。
【００１４】
さらに、容器内に浸漬させて、振り回した場合は、容器内には回転水流が発生する。この
容器内に発生する回転水流によって、取り付け部分に固定された抽出対象物は、００１２
項及び００１３項で前述した遠心力及び慣性による回転に加えて、回転水流によって軸を
中心に回転することが出来る。
【００１５】
尚、前記取り付け部分を側面にすることで、前記取り付け部分に取り付けられた抽出対象物は、軸を中心として、真横から回転水流を受けることにより、回転部品の回転は強く、且つ永く持続することが出来る。又、軸を停止した場合の慣性の影響も軸を中心に真横から影響を受けるので、回転部品の回転は強く、且つ永く持続することが出来る。
【００１６】
この様に、軸を中心に回転する機能を持ち、且つ、側面に取り付け部分を持った回転部品を、前記軸を中心に回転をさせることで、前記回転部品に側面に備えられた取り付け部分は前記軸１を中心に真横に回転することが出来る。この効果により、前記抽出対象物は、遠心力、慣性、回転水流の効果を、前記軸を中心に真横から受けることが出来るので、前記抽出対象物の前記軸を中心とする回転は、振り回し作業終了時にも強く、永く持続することにより、前記抽出対象物の抽出を加速させることが出来る。
【図面の簡単な説明】
【００１７】
【図１】軸１が備えた回転部品２の側面の複数の取り付け部分３ａ、３ａ´に、ティーパック５、５´を取り付けた本願発明抽出棒の正面図。
【図２】図１で示す本願発明抽出棒を、水を満たした容器９に浸漬させて使用した場合の正面図。
【図３】軸１が備えた回転部品２の側面の単数の取り付け部分３ａに、ティーパック５を取り付けた本願発明抽出棒の正面図。
【図４】図３で示す本願発明抽出棒を、水を満たした容器９に浸漬させて使用した場合の正面図。
【図５】軸１が備えた回転部品２の側面の複数の取り付け部分３ｂ、３ｂ´に、カートリッジ８，８´を取り付けた本願発明抽出棒の正面図。
【図６】図５で示す本願発明抽出棒を、水を満たした容器９に浸漬させて使用した場合の正面図。
【図７】軸１の２箇所に回転部品２、２´を備えた本願発明抽出棒を、容器蓋１０に設けて、容器９に浸漬させて、密封した状態で使用した場合の正面図。
【発明を実施するための形態】
【実施例１】
【００１８】
実施例１で用いる本願発明抽出棒とは、図１で示すように、球状の回転部品２を作成して、前記回転部品２に縦穴（ア）をあけ、縦穴（ア）に貫通した、縦穴（ア）の口径より細い直径を持つ軸１の末端付近に、前記回転部品２を一対の固定部品４ａ、４ｂで上下に抜け止め固定する。この回転部品２の側面に先端がフック状の取り付け部分３ａ及び３ａ´を突出させて設ける。この様に、回転部品２に縦にくりぬかれた穴（ア）を軸１が貫通されることで回転部品２が備える取り付け部分３ａ、３ａ´は軸１を中心に真横に回転することが出来る。尚、回転部品２の両横及び軸１の末端にはネジを付けた部品と適合するねじ穴が備えられている。
【００１９】
使用方法としては、前記取り付け部分３ａ、３ａ´に、抽出対象物のティーパック５、５
´を取り付けて、水を入れた容器９内に軸１を使って浸漬させて、前記軸１を手でつまんで、矢印Ａの方向に円を描いて振り回す。この使用方法における動作について図２を用
いて説明する。
【００２０】
前記軸1の上部を矢印Ａの方向に振り回すと、前記軸1の末端付近に備え付けられた回転部
品２の取り付け部分３ａ及び３ａ´に取り付けられたティーパック５、５´は水中におい
て矢印Ａの方向に振り回される。
【００２１】
振り回し動作によって、前記軸１には遠心力が生じる。この遠心力により前記軸に備えられた前記回転部品２は、軸を中心とした自転回転を行う。又、振り回し動作を停止した場
合には慣性が生じる。この慣性により軸に備えられた前記回転部品２は振り回し動作を停
止後も自転回転を行う。
【００２２】
００２１項で述べたように、振り回し動作を続けた場合は遠心力により、又、振り回し動
作を停止した場合は慣性により回転部品２は矢印Ｂ方向に自転回転を行う。
【００２３】
又、振り回し動作を続けることにより、容器９内には回転水流Ｃが生じる。そして振り回
し動作を停止した場合においても、容器９内には回転水流Ｃは持続する。この回転水流Ｃ
により回転部品は振り回し動作を停止した後も自転回転を行う。
【００２４】
前述した、遠心力、慣性、回転水流Ｃによる回転部品２の自転回転により、前記回転部品
２の取り付け部分３ａ、３ａ´に取り付けられたティーパック５，５´は、振り回し動作を停止した場合でも軸１を中心の回転を持続することが出来る。
【００２５】
この様に、前記回転部品２を軸１に備えるがゆえに、遠心力、慣性、回転水流Ｃによる前
記回転部品２は自転回転による前記軸１を中心とした回転を行うことが出来る。
【００２６】
これにより、前記取り付け部分３ａ、３ａ´に側面（実施例ではテンビン状）に取り付けられたティーパック５，５´は前記軸１を中心に真横に回転することが可能となり、振り回し動作を停止した場合、００２５項で述べた慣性の力も真横に伝わるので、前記回転部品２に与える影響は強くなり、前記回転部品２は強く回転するのでティーパック５、５´回転が促される。
【００２７】
又、前記回転部品２にティーパック５、５´を側面（実施例ではテンビン状）に取り付けることにより、前記回転部品２の自転回転は、振り回し動作を停止後も、００２５項で述べた回転水流Ｃの影響を真横から受けることが出来るので、前記取り付け部分３にテンビン状に取り付けられたティーパック５，５´は回転し続けることが出来るので、成分の抽出は加速し続ける。
【実施例２】
【００２８】
実施例２で用いる本願発明抽出棒とは、図３で示すように、球状の回転部品２を作成して、前記回転部品２に縦穴（ア）をあけ、縦穴（ア）に貫通した、縦穴（ア）の口径より細い直径を持つ軸１ａの末端付近に、前記回転部品２を一対の固定部品４ａ、４ｂで上下に抜け止め固定する。この回転部品２の側面に先端がフック状の取り付け部分３ａを突出させて設ける。又、前記取り付け部分の反対側には、浮力を備えた羽根状の浮遊手段６を設けている。
【００２９】
実施例２で示すように本願発明におけるテンビンとは、両テンビンのみならず片テンビン（回転部品２の側面の単数の取り付け部分３を備えたもの）も含んでいる。片テンビンにした場合においても、回転部品２に縦にくりぬかれた穴（ア）を軸１が貫通されることで回転部品２が備える取り付け部分３ａは軸１を中心に回転することが出来る。
【００３０】
この場合も、実施例１同様に前記取り付け部分３ａに取り付けられたティーパック５は回
転水流の影響を真横から受けることが出来る。
【００３１】
この様に、前記回転部品２を軸１に備えるがゆえに、回転部品２の側面の単数の取り付け部分３ａ（片テンビン）の場合においても、遠心力、慣性、回転水流Ｃによる前記回転部品２は自転回転による前記軸１を中心とした回転を行うことが出来る。これにより、実施例１同様に、実施例２においても、００２５項、００２６項、００２７項で述べた効果により、前記軸１の振り回し動作を停止した後も、前記回転部品２は矢印Ｂ方向に回転し続ける。
【００３２】
使用方法としては、図４で示すように、前記取り付け部分３ａに抽出対象物のティーパッ
ク５を取り付けて、水を入れた容器９内に軸１を使って浸漬させて、軸１の先端部分を手
でつまんで、矢印Ａの方向に振り回す。この使用方法における動作については実施例１同
様の動きを見せる。
【実施例３】
【００３３】
実施例３については、図５でしめす成分抽出物を内蔵させることが出来るカートリッジ８
ａ、８ｂを抽出対象物として、取り付け部分３ｂ、３ｂ´に取り付けた図である。尚、このカートリッジ８ａ、８ｂは発明者が新たに創造して製造したもので既製品ではない。
【００３４】
使用方法としては、前記カートリッジ８ａ、８ｂの中に成分抽出対象物を入れて、水をいれた容器９内に軸１を使って浸漬させて、軸１の先端部分を手でつまんで、矢印Ａの方向
に円を描いて振り回す。この使用方法における動作について図６を用いて説明する。  
【００３５】
カートリッジ８ａ、８ｂには浮力があり、羽根状の浮遊手段の６ａ、６ｂを備えている。
この浮力と羽根状の浮遊手段６ａ、６ｂにより、軸１を振り回す際の水中での抵抗が強く
なり、回転水流Ｃの発生が促進される。
【００３６】
又、この浮力と羽根状の浮遊手段６ａ、６ｂにより、軸１の振り回しを停止した場合の回
転水流Ｃの影響を強く受けるので、回転部品２の自転回転Ｂは促進され持続される。
【００３７】
これにより、回転部品２の取り付け部分３ｂ、３ｂ´に備えられたカートリッジ８ａ、８
ｂは軸１の振り回しを停止した後も、慣性及び回転水流Ｃで引き起こされる回転部品２の
自転回転Ｂにより、容器内９で回転を続けるので成分の抽出を加速させることが出来る。
【００３８】
尚、実施例３については、軸１の末端にヘラ状の浮遊物６Ｃを備えさせている。ヘラ状の
浮遊物６を軸１に備えさせることで、水中を掻き混ぜる効果を高めて回転水流を増幅させ
ることが出来る。
【実施例４】
【００３９】
本願発明抽出棒は、実施例１，２，３，では手でつまんで振り回す使用例を述べたが、手でつまんで振り回す以外にも図７で示すように軸１の先端を容器蓋１０に固定して使用することが出来る。実施例４では軸１の２箇所に回転部品２、２´備えたものを用いる。
【００４０】
実施例４で用いる本願発明抽出棒は、図７で示すように、軸１の２箇所に回転部品２，２´を備えている。軸１に対する回転部品２、２´の取り付け方法は図１で示す実施例１と同じである。尚、実施例４における本発明の成分抽出加速器は、説明用に拡大して描いている。
【００４１】
図７で示すように、軸１の２箇所に備えられた回転部品２，２´の側面にテンビン状に突
出させた一対の取り付け部分３ｂ、３ｂ´、３ｂ´´、３ｂ´´´にはネジ部分を設けて、このネジ部分に適合するネジ穴（ウ）、（ウ´）、（ウ´´）、（ウ´´´）を持ったティーパック５、５´、５´´、５´´´をテンビン状取り付ける。  
【００４２】
このネジ穴（ウ）を持ったティーパック５は発明者が新たに創造して製造したもので既製
品ではない。ネジ穴（ウ）を持ったティーパック５に変えて、取り付け部分３ｂの先端に
突起物を設けて、この突起物に圧入する穴（エ）、を備えた特製のティーパック５を圧入
固定する方法でも良いことは言うまでもない。尚、実施例４においては軸１の末端には円
錐状の錘７を取り付けてｆいる。
【００４３】
使用方法としては、本願発明抽出棒を容器蓋１０に設けて、容器９内に軸１を使って浸漬させて、容器蓋１０を閉めて、密封した状態で、容器９の上部を手で掴んでＡの方向に円を描いて揺り動かす。この使用方法における動作について図７を用いて説明する。
【００４４】
図７で示すように、容器９の上部を手で掴んで矢印Ａの方向に手動で揺り動かすと、軸１
は、容器蓋１０に取り付けられた部分を支点として矢印Ａの方向に円を描いて振り回され
る（軸が可動する）。この場合、軸１に可撓性を備えさせた場合は、軸１のしなりが大きくなることで、軸１の回転Ａの幅が大きくなる。
【００４５】
又、軸１の末端に前記錘７を取り付けることで、末端に重心が備えられ軸１のしなりが大
きくなり、更に、錘７をヘラ状にした場合は、実施例３同様に水中を掻き混ぜる効果をも
たらし回転水流Ｃの発生を促す。
【００４６】
この動作により、容器蓋に設けられた軸１は、容器９を閉じた状態においても軸が矢印Ａ
方向に振り回されることにより、軸１が備える回転部品２、２´は軸を中心に矢印Ｂ方向
に自転回転を行う。
【００４７】
これにより、回転部品２，２´の取り付け部分３ｂ、３ｂ´、３ｂ´´、３ｂ´´´に取
り付けられたティーパック５、５´、５´´、５´´´は、実施例１，２，３同様の動き
をするので、成分の抽出は加速される。
【００４８】
以上において、実施例１、２、３、４で本願発明テンビン抽出棒の形態及び使用方法及び
動作について記載した。以下においては、各実施例における、各部品及び動作について補
足する。
(補足)
【００４９】
実施例において、軸１の末端及び回転部品２にネジ穴（イ）を備えさせている。前述した
取り付け部分３、ティーパック５、浮遊手段６、錘７、カートリッジ８に、ネジ穴（イ）に結合するネジ部分を備えさせることで、脱着が可能となり、抽出対象物にあわせて各種パーツの取り付を選択することにより回転部品２の自転回転をベストな状態に出来る。この結合方法はネジ式ではなく圧入固定をする方法でも良いことは言うまでもない。
【００５０】
本願発明の回転部品２が備える取り付け部分３とは、実施例１で示す側面に２個あるもの（両テンビン）、実施例２で示す側面に１個のもの（片テンビン）に加え、側面に３個以上のもの（複数テンビン）も含まれる。
【００５１】
実施例においては、粉状の抽出対象物を内蔵させたティーパック５やカートリッジ８について述べたが、抽出対象物には、固形のものも含まれる。
【００５２】
実施例２では取り付け部分３が側面に１個のもの（片テンビン）の取り付け部分の反対側に浮遊手段６を備えているが、この効果により回転水流Ｃの影響を強く受け、且つ、永く持続させる効果がある。又、羽根状の浮遊手段６は複数でもよく、抽出対象物の形状によっては無くても構わない
【００５３】
実施例２における浮遊手段６は、回転部品２のネジ穴に適合するねじを備えさせる手段や、回転部品に縦に溝を作りスライド式にする手段で、取り外しを可能にすることで、抽出対象物にあわせたバランスが取れる浮遊手段６を選択することが出来る。
【００５４】
実施例３においては、カートリッジ８を取り付け部分３ｂにのみ単数取り付ける場合は、
回転部品２の反対側の取り付け部分３ｂ´には、カートリッジ８´の代わりにカートリッ
ジ８と同じ形態の浮力を備えた浮遊手段６を備えさせることで、テンビンのバランスを取ることが出来る。
【００５５】
実施例３、４で示すように、ヘラ状の浮遊手段６や錘７を軸１に備えさせることで、水中
を掻き混ぜる効果を高めて回転水流を増幅させることが出来る。実施例では軸１の末端に
これらを備えているが、前記軸１の末端のみならず、上部にこのような水中抵抗物を備え
ることで、掻き混ぜ効果による回転水流Ｃは増幅する。
【００５６】
実施例４で示す、軸１の先端を容器蓋１０に設けて、容器９に浸漬させた場合の使用方法
においては、容器９に水を満水にせず幾分少なめにして、容器９を矢印Ａ方向に振り回し
た場合は、遠心力による水流の勢いが増し、軸１に備えられた回転部品２は激しく自転回
転Ｂをするので、成分の抽出の加速速度が高まる。
【００５７】
実施例４において、容器蓋１０に、本発明の成分抽出加速器の軸１の先端を固定する手段
としては、圧入や挿入やフレンジを用いる手段や、吸盤等での吸着手段や、容器に接着し
て固定する接着手段等がある。
【００５８】
又、本願発明の軸１の先端を、既成のペットボトルキャップに備えさせたペットボトルキ
ャップ作成すれば、既成のペットボトルにそのままの取り付けるだけで、実施例４におけ
る使用をする事が出来る。
【符号の説明】
【００５９】
１    軸  
２    回転部品
３    取り付け部分
４    固定部品
５    ティーパック
６    浮遊手段
７    錘
８    カートリッジ
９    容器
１０  容器蓋
Ａ    軸１を振り回す方向を示す矢印
Ｂ    自転回転の方向を示す矢印
Ｃ    回転水流の方向を示す矢印
ア    回転部品２を貫通している穴
イ    ネジ部分に適合するねじ穴
ウ    ネジ部分に適合するティーパック５のネジ穴